(57)【要約】【課題】  横長画像／縦長画像の撮影切替えを手ブレを生じたり画像の視認性を損なうことなく確実且つ迅速に行ない得る、デジタルカメラ、画像の縦横切替え方法、及びプログラムの提供【解決手段】    デジタルカメラ２００の背面には正方形の液晶表示画面４２を有する表示部４０が設けられている。また、液晶モニタ画面４２は正方形状に配列された表示素子と、表示素子裏面に同様に配列された発光素子と、バックライトからなり、縦長画像撮影モード時には液晶モニタ画面４２の全表示範囲のうち、アスペクト比３：４の表示範囲４５が用いられ、スルー画像がアスペクト比３：４の横長画像として表示される（図８（ａ））。また、横長画像撮影モード時には液晶モニタ画面４２の全表示範囲のうち、アスペクト比４：３の表示範囲４６が用いられ、スルー画像がアスペクト比４：３の横長画像として表示される（図８（ａ））。【選択図】  図８
2006203732.tif 000002
【特許請求の範囲】
【請求項１】
正方形状の表示画面と、
被写体を撮影して撮影画像を得る撮像手段と、
縦長画像撮影と横長画像撮影のいずれかの撮影モードを選択する撮影選択手段と、
前記撮影選択手段によって選択された撮影モードを実行するよう前記撮像手段を制御する撮像制御手段と、
前記撮影選択手段によって縦長画像撮影が選択されたときは前記表示画面の全表示範囲の中に縦長画像表示用の表示範囲を設定し、横長画像撮影が選択されたときは前記表示画面の全表示範囲の中に横長画像表示用の表示範囲を設定する表示範囲設定手段と、
前記表示範囲設定手段によって設定された表示範囲に前記撮像手段によって取り込まれた画像をスルー表示するスルー画像表示手段と、
を備えたことを特徴とする撮像装置。
【請求項２】
更に、所定の情報を前記表示範囲設定手段によって設定された表示範囲を前記表示画面の全表示範囲から除いた余白部分に表示する表示手段と、
を備えたことを特徴とする請求項１に記載の撮像装置。
【請求項３】
更に、前回の画像を保存メモリから取り出して再生する画像再生手段と、
この再生画像を前記余白部分に表示可能に縮小する画像縮小手段と、を備え、
前記表示手段は前記画像縮小手段によって縮小された画像を前記余白部分に表示する、ことを特徴とする請求項２に記載の撮像装置。
【請求項４】
更に、今回の撮影情報を取得する撮影情報取得手段を備え、
前記表示手段は前記撮影情報取得手段によって取得された画像を前記余白部分に表示する、ことを特徴とする請求項２に記載の撮像装置。
【請求項５】
更に、前回の画像を保存メモリから取り出して再生する画像再生手段と、
この再生画像を前記余白部分に表示可能に縮小する画像縮小手段と、
今回の撮影情報を取得する撮影情報取得手段と、を備え、
前記表示手段は前記画像縮小手段によって縮小された画像と前記撮影情報取得手段によって取得された画像とを前記余白部分に表示する、ことを特徴とする請求項２に記載の撮像装置。
【請求項６】
回転可能に構成されたカメラ本体の背面側に位置する回転式表示部と、
被写体を撮影して撮影画像を得る撮像手段と、
前記撮像手段のうち少なくともレンズ光学系および撮像素子を前記回転式表示部の回転に同期して回転させる回転機構と、
前記回転式表示部の回転角を検出する回転角検出部と、
前記回転角検出部によって検出された回転角を基に撮影モードを縦長画像撮影または横長画像撮影のいずれかに切り替える撮影切替え手段と、
前記撮影切替え手段によって切替えられた撮影モードを実行するように前記撮像手段を制御する撮像制御手段と、
前記撮影切替え手段によって縦長画像撮影に切替えられたときは前記表示画面の全表示範囲の中に縦長画像表示用の表示範囲を設定し、横長画像撮影に切替えられたときは前記表示画面の全表示範囲の中に横長画像表示用の表示範囲を設定する表示範囲設定手段と、
前記表示範囲設定手段によって設定された表示範囲に撮像手段によって取り込まれた画像を正立させてスルー表示するスルー画像表示手段と、
を備えたことを特徴とするデジタルカメラ。
【請求項７】
更に、前記撮影切替え手段は前記回転角検出手段によって検出された回転式表示部の回転角が逆方向に切替えられたことを検知する手段と、この逆方向の切替を検知したとき、撮影モードを切替える手段を備えたことを特徴とする請求項６に記載のデジタルカメラ。
【請求項８】
正方形状の表示画面と被写体を撮影して撮影画像を得る撮像手段とを備えた撮像装置における縦横撮影切替え方法であって、
縦長画像撮影と横長画像撮影のいずれかの撮影モードを選択するステップと、
前記選択された撮影モードを前記撮像手段に実行させるステップと、
縦長画像撮影が選択されたときは前記表示画面の全表示範囲の中に縦長画像表示用の表示範囲を設定するステップと、
横長画像撮影が選択されたときは前記表示画面の全表示範囲の中に横長画像表示用の表示範囲を設定するステップと、
前記設定された表示範囲に前記撮像手段によって取り込まれた画像をスルー表示するステップと、
を備えたことを特徴とする縦横画像切替え方法。
【請求項９】
回転可能に構成されたカメラ本体の背面側に位置する回転式表示部と、
被写体を撮影して撮影画像を得る撮像手段と、前記撮像手段のうち少なくともレンズ光学系および撮像素子を前記回転式表示部の回転に同期して回転させる回転機構と、を備えたデジタルカメラにおける縦横撮影切替え方法であって、
前記回転式表示部の回転角を検出するステップと、
前記検出された回転角を基に撮影モードを縦長画像撮影または横長画像撮影のいずれかに切替えるステップと、
前記切替えられた撮影モードを前記撮像手段に実行させるステップと、
縦長画像撮影に切替えられたときは前記表示画面の全表示範囲の中に縦長画像表示用の表示範囲を設定するステップと、
横長画像撮影に切替えられたときは前記表示画面の全表示範囲の中に横長画像表示用の表示範囲を設定するステップと、
前記設定された表示範囲に前記撮像手段によって取り込まれた画像を正立させてスルー表示するステップと、
を備えたことを特徴とする縦横撮影切替え方法。
【請求項１０】
正方形状の表示画面と被写体を撮影して撮影画像を得る撮像手段とを備えた撮像装置のコンピュータに、
縦長画像撮影と横長画像撮影のいずれかの撮影モードを選択する機能と、
前記撮影選択手段によって選択された撮影を行なうよう前記撮像手段を制御する機能と、
前記撮影選択手段によって縦長画像撮影が選択されたときは前記表示画面の全表示範囲の中に縦長画像表示用の表示範囲を設定し、横長画像撮影が選択されたときは前記表示画面の全表示範囲の中に横長画像表示用の表示範囲を設定する機能と、
前記表示範囲設定手段によって設定された表示範囲に前記撮像手段によって取り込まれた画像をスルー表示する機能と、
を実行させるプログラム。
【請求項１１】
回転可能に構成されたカメラ本体の背面側に位置する回転式表示部と、
被写体を撮影して撮影画像を得る撮像手段と、前記撮像手段のうち少なくともレンズ光学系および撮像素子を前記回転式表示部の回転に同期して回転させる回転機構と、を備えたデジタルカメラのコンピュータに、
前記回転式表示部の回転角を検出する機能と、
前記回転角検出部によって検出された回転角を基に撮影モードを縦長画像撮影または横長画像撮影のいずれかに切り替える機能と、
前記撮影切替え手段によって切替えられた撮影モードを実行するように前記撮像手段を制御する機能と、
前記撮影切替え手段によって縦長画像撮影に切替えられたときは前記表示画面の全表示範囲の中に縦長画像表示用の表示範囲を設定し、横長画像撮影に切替えられたときは前記表示画面の全表示範囲の中に横長画像表示用の表示範囲を設定する機能と、
前記表示範囲設定手段によって設定された表示範囲に撮像手段によって取り込まれた画像を正立させてスルー表示する機能と、
を実行させるプログラム。
【発明の詳細な説明】
【技術分野】
【０００１】
本発明は、デジタルカメラによる縦長画像／横長画像の撮影切替えを確実且つ迅速に行なうための縦横撮影切替え技術に関する。
【背景技術】
【０００２】
撮影時に縦長画像撮影を行なう場合には、従来、（i）図１４（ａ）に示すように略水平に構えたカメラを図１４（ｂ）に示すように９０°回転させて略垂直に持ち替えて撮影するか、（ii）図１５（ａ）に示すように横長画像撮影と同じ構図で撮影モードを図１５（ｂ）に示すように縦長画像撮影に切替え、横方向の撮影画素数を低減させることにより縦長画像撮影を行なっていた。なお、この場合には、表示画面も横方向の画素を低減させて通常の表示範囲を横方向に縮小して縦長とし、その表示範囲に縦長画像を表示させていた。
【０００３】
しかしながら、上記（i）の方法では縦長画像撮影を行なうためにカメラを回転させて縦位置に持ち替える際に手ブレが生じたり、略水平にカメラを構えた場合と同じ構図の維持ができないといった問題があった。
また、上記（ii）の方法では、横長画像撮影モードから縦長画像撮影モードへのモードの切替えをカメラ本体に設けられた切替えスイッチ等を操作して行なうので操作が煩わしいだけでなく、横長の表示画面に縦長の画像を表示するために図１５（ｂ）に示すように表示範囲を横方向に縮小して縦長画像を表示するので視認性が低下するといった問題点があった。
【０００４】
これに対し、カメラを持ち替えることなく、縦長・横長の両方の画像を記録できる電子カメラが提案されている（例えば、特許文献１参照）。同特許文献には、撮像素子を回転させる回転機構を備え、縦横切換手段の選択に応じて回転機構が作動し、撮像素子の姿勢が縦長姿勢または横長姿勢に変更されるように構成し、システムコントローラは回転手ブレ検出手段からの検出信号に応じて回転手ブレを自動的に補正するとともに、傾き検出部からの検出信号に基づいて自動的に画面の水平を調節するように回転機構を制御するように構成した電子カメラが開示されている。
【０００５】
また、雲台付き三脚に電子カメラを取り付けて撮影を行なう場合、三脚や雲台の取り扱いに不慣れなユーザでも構図変更及び横位置撮影／縦位置撮影の切替えを確実且つ迅速に行える電子カメラが提案されている（例えば、特許文献２参照）。同特許文献には、撮像素子が生成する画像データの中から任意の位置と大きさの正方形領域の画像データを切り出す電子フレーミング機能と、正方形領域の画像データの中から縦位置撮影画面のアスペクト比の画像データと横位置撮影画面のアスペクト比の画像データを切替えて抽出する電子縦横画面切替え機能とを備えた電子カメラが開示されている。
【０００６】
また、カメラ等の画像入力再生装置の撮影時における姿勢（向き）に関係なく、画像表示装置のモニタ画面に正常な向きで画像再生ができるとともに、プリンタのような画像出出力装置に出力したときに実行画素数が減少することがないようにした画像入力再生装置が提案されている（例えば、特許文献３）。同特許文献には、画像入力再生装置の姿勢情報を管理情報として記録し、ＣＲＴ装置のような画像表示装置にビデオ画像信号を出力するときには記録された姿勢情報に基づき再生画像の向きを画像表示装置に対して合わせて出力し、例えば、縦長画像撮影画像を９０°回転させて横長画面の画像表示装置に表示するようにする構成した画像入力再生装置が開示されている。
【特許文献１】特開２００２−６４７３８号公報
【特許文献２】特開２００４−１５３６７号公報
【特許文献３】特開２０００−１８８７１５号公報
【発明の開示】
【発明が解決しようとする課題】
【０００７】
しかしながら、上記特許文献１に記載の電子カメラでは、回転機構は撮像素子だけを回転させるように構成されているため、横位置のカメラでカメラを持ち直すことなく縦長画像撮影を行なうために縦横切換手段で縦長画像撮影を選択すると撮像装置が自動的に回転し縦長画像を撮影するが、横長の表示画面に縦長の画像を表示するために図１４（ｂ）に示すように表示画面の左右をマスクして表示範囲を縮小して縦長画像を表示するので視認性が低下するといった課題があった。また、表示範囲を縮小するとしても縦長画像を表示するにはカメラを縦位置に持ち替えて撮影しなければならないので縦位置に持ち替える際に手ブレが生じたり、同じ構図の維持ができないといった課題があった。
【０００８】
また、上記特許文献２に記載の電子カメラでは、先ず、画像データの中から任意の正方形領域の画像データを切り出し、更に切り出した正方形領域の画像データの中から縦位置撮影画面のアスペクト比の画像データと横位置撮影画面のアスペクト比の画像データを切替えて抽出するので縦横の画像切替えは迅速にできるが、縦画像は撮影した画像からアスペクト比に従って左右を切り捨てたものであり、横画像は撮影した画像からアスペクト比に従って上下を切り捨てたものであるところから、モニタ画面に表示される画像は視覚的には画像が縮小された印象を受けるといった課題があった。また、縦画像や横画像を表示した際に生ずるモニタ画面の余白が効果的に用いられていないといった課題もあった。
【０００９】
また、上記特許文献３に記載の画像入力再生装置では、画像入力再生装置の傾きを検出して正立した画像を表示できるが、縦横を切替えるためにはカメラ本体を９０°回転させる必要があることから、横長画像を縦長画像に切替えたり、縦長画像を横長画像に切替えるにはカメラを縦位置または横位置に持ち替えて撮影しなければならないので持ち替える際に手ブレが生じたり、同じ構図の維持ができないといった課題があった。
【００１０】
本発明は上記従来技術の課題を解決するためになされたものであり、横長画像／縦長画像の撮影切替えを手ブレを生じたり画像の視認性を損なうことなく確実且つ迅速に行ない得る、デジタルカメラ、画像の縦横切替え方法、及びプログラムの提供を目的とする。
【課題を解決するための手段】
【００１１】
上記課題を解決するために、請求項１に記載の発明では、正方形状の表示画面と、被写体を撮影して撮影画像を得る撮像手段と、縦長画像撮影と横長画像撮影のいずれかの撮影モードを選択する撮影選択手段と、撮影選択手段によって選択された撮影モードを実行するよう撮像手段を制御する撮像制御手段と、撮影選択手段によって縦長画像撮影が選択されたときは表示画面の全表示範囲の中に縦長画像表示用の表示範囲を設定し、横長画像撮影が選択されたときは表示画面の全表示範囲の中に横長画像表示用の表示範囲を設定する表示範囲設定手段と、表示範囲設定手段によって設定された表示範囲に撮像手段によって取り込まれた画像をスルー表示するスルー画像表示手段と、を備えたことを特徴とする撮像装置を提供する。  
これにより、撮像装置は正方形状の表示画面を横長画像用または縦長画像用に用いることができることから、表示部を回転させたり装置を縦に持ち替えたりしなくても縦長画像を撮影できるので手ブレが生じないし、横長画像撮影と同じ構図を維持することができる。また、表示範囲を縮小することなく縦長画像または横長画像を表示することができるので、視認性が低下しない。
【００１２】
また、請求項２に記載の発明では、更に、所定の情報を表示範囲設定手段によって設定された表示範囲を表示画面の全表示範囲から除いた余白部分に表示する表示手段と、を備えたことを特徴とする請求項１に記載の撮像装置を提供する。  
これにより、撮像装置は所定の情報をスルー画像と同一画面上に並列に表示できるので、スルー画像と所定の情報が重畳することがなく、見易い。
【００１３】
また、請求項３に記載の発明では、更に、前回の画像を保存メモリから取り出して再生する画像再生手段と、この再生画像を余白部分に表示可能に縮小する画像縮小手段と、を備え、表示手段は画像縮小手段によって縮小された画像を余白部分に表示する、ことを特徴とする請求項２に記載の撮像装置を提供する。  
これにより、撮像装置は前回の画像をスルー画像と同一面上で並列的に表示できるので、前回の画像がスルー画像と重畳することがなく、見易い。
【００１４】
また、請求項４に記載の発明では、更に、今回の撮影情報を取得する撮影情報取得手段を備え、表示手段は撮影情報取得手段によって取得された画像を余白部分に表示する、ことを特徴とする請求項２に記載の撮像装置を提供する。  
これにより、撮像装置は撮影情報をスルー画像と並列して表示できるので撮影情報とスルー画像が重畳することがなく、見易い。
【００１５】
また、請求項５に記載の発明では、更に、前回の画像を保存メモリから取り出して再生する画像再生手段と、この再生画像を余白部分に表示可能に縮小する画像縮小手段と、
今回の撮影情報を取得する撮影情報取得手段と、を備え、表示手段は画像縮小手段によって縮小された画像と撮影情報取得手段によって取得された画像とを余白部分に表示する、ことを特徴とする請求項２に記載の撮像装置を提供する。  
これにより、撮像装置は前回の撮影画像と今回の撮影時のスルー画像および今回の撮影情報を同一画面上に並列的に表示できるので、撮影者は構図の比較が簡単にできると共に、撮影情報と前回の画像がスルー画像と重畳することがなく、見易い。
【００１６】
また、請求項６に記載の発明では、回転可能に構成されたカメラ本体の背面側に位置する回転式表示部と、被写体を撮影して撮影画像を得る撮像手段と、撮像手段のうち少なくともレンズ光学系および撮像素子を回転式表示部の回転に同期して回転させる回転機構と、回転式表示部の回転角を検出する回転角検出部と、回転角検出部によって検出された回転角を基に撮影モードを縦長画像撮影または横長画像撮影のいずれかに切り替える撮影切替え手段と、撮影切替え手段によって切替えられた撮影モードを実行するように撮像手段を制御する撮像制御手段と、撮影切替え手段によって縦長画像撮影に切替えられたときは表示画面の全表示範囲の中に縦長画像表示用の表示範囲を設定し、横長画像撮影に切替えられたときは表示画面の全表示範囲の中に横長画像表示用の表示範囲を設定する表示範囲設定手段と、表示範囲設定手段によって設定された表示範囲に撮像手段によって取り込まれた画像を正立させてスルー表示するスルー画像表示手段と、を備えたことを特徴とするデジタルカメラを提供する。  
これにより、デジタルカメラは回転式表示部を回転させれば撮像素子が同期して回転することから、縦長画像を撮影する場合にカメラを縦に持ち替える必要がなく手ブレが生じない。また、横長画像撮影と同じ構図を維持することができる。また、縦方向の縦長画像撮影を行なった場合、表示範囲は縮小されないので視認性が低下しない。
【００１７】
また、請求項７に記載の発明では、更に、撮影切替え手段は回転角検出手段によって検出された回転式表示部の回転角が逆方向に切替えられたことを検知する手段と、この逆方向の切替えを検知したとき、撮影モードを切替える手段を備えたことを特徴とする請求項６に記載のデジタルカメラを提供する。  
これにより、デジタルカメラは回転式表示部を微動させるだけで横長画像撮影モードから縦長画像撮影モードへ切替え、若しくは縦長画像撮影モードから横長画像撮影モードへの切替えができるので、切替え操作が簡単であり、切替えの際に手ブレが生じない。
【００１８】
また、請求項８に記載の発明では、正方形状の表示画面と被写体を撮影して撮影画像を得る撮像手段とを備えた撮像装置における縦横撮影切替え方法であって、縦長画像撮影と横長画像撮影のいずれかの撮影モードを選択するステップと、選択された撮影モードを撮像手段に実行させるステップと、縦長画像撮影が選択されたときは表示画面の全表示範囲の中に縦長画像表示用の表示範囲を設定するステップと、横長画像撮影が選択されたときは表示画面の全表示範囲の中に横長画像表示用の表示範囲を設定するステップと、設定された表示範囲に撮像手段によって取り込まれた画像をスルー表示するステップと、を備えたことを特徴とする縦横画像切替え方法を提供する。  
これにより、撮像装置は正方形状の表示画面を横長画像用または縦長画像用に用いることができることから、表示部を回転させたり装置を縦に持ち替えたりしなくても縦長画像を撮影できるので手ブレが生じないし、横長画像撮影と同じ構図を維持することができる。また、表示範囲を縮小することなく縦長画像または横長画像を表示することができるので、視認性が低下しない。
【００１９】
また、請求項９に記載の発明では、回転可能に構成されたカメラ本体の背面側に位置する回転式表示部と、被写体を撮影して撮影画像を得る撮像手段と、撮像手段のうち少なくともレンズ光学系および撮像素子を回転式表示部の回転に同期して回転させる回転機構と、を備えたデジタルカメラにおける縦横撮影切替え方法であって、回転式表示部の回転角を検出するステップと、検出された回転角を基に撮影モードを縦長画像撮影または横長画像撮影のいずれかに切替えるステップと、切替えられた撮影モードを撮像手段に実行させるステップと、縦長画像撮影に切替えられたときは表示画面の全表示範囲の中に縦長画像表示用の表示範囲を設定するステップと、横長画像撮影に切替えられたときは表示画面の全表示範囲の中に横長画像表示用の表示範囲を設定するステップと、設定された表示範囲に撮像手段によって取り込まれた画像を正立させてスルー表示するステップと、を備えたことを特徴とする縦横撮影切替え方法を提供する。  
これにより、デジタルカメラは回転式表示部を回転させれば撮像素子が同期して回転することから、縦長画像を撮影する場合にカメラを縦に持ち替える必要がなく手ブレが生じない。また、横長画像撮影と同じ構図を維持することができる。また、縦方向の縦長画像撮影を行なった場合、表示範囲は縮小されないので視認性が低下しない。
【００２０】
また、請求項１０に記載の発明では、正方形状の表示画面と被写体を撮影して撮影画像を得る撮像手段とを備えた撮像装置のコンピュータに、縦長画像撮影と横長画像撮影のいずれかの撮影モードを選択する機能と、撮影選択手段によって選択された撮影を行なうよう撮像手段を制御する機能と、撮影選択手段によって縦長画像撮影が選択されたときは表示画面の全表示範囲の中に縦長画像表示用の表示範囲を設定し、横長画像撮影が選択されたときは表示画面の全表示範囲の中に横長画像表示用の表示範囲を設定する機能と、表示範囲設定手段によって設定された表示範囲に撮像手段によって取り込まれた画像をスルー表示する機能と、を実行させるプログラムを提供する。  
これにより、撮像装置は表示部を回転させたり装置を略水平または略垂直に持ち替えたりしなくても横長画像撮影または縦長画像撮影を行なうことができる。また、正方形状の表示画面を横長画像表示用または縦長画像表示用に用いることができる。
【００２１】
また、請求項１１に記載の発明では、回転可能に構成されたカメラ本体の背面側に位置する回転式表示部と、被写体を撮影して撮影画像を得る撮像手段と、撮像手段のうち少なくともレンズ光学系および撮像素子を回転式表示部の回転に同期して回転可させる回転機構と、を備えたデジタルカメラのコンピュータに、回転式表示部の回転角を検出する機能と、回転角検出部によって検出された回転角を基に撮影モードを縦長画像撮影または横長画像撮影のいずれかに切り替える機能と、撮影切替え手段によって切替えられた撮影モードを実行するように撮像手段を制御する機能と、撮影切替え手段によって縦長画像撮影に切替えられたときは表示画面の全表示範囲の中に縦長画像表示用の表示範囲を設定し、横長画像撮影に切替えられたときは表示画面の全表示範囲の中に横長画像表示用の表示範囲を設定する機能と、表示範囲設定手段によって設定された表示範囲に撮像手段によって取り込まれた画像を正立させてスルー表示する機能と、を実行させるプログラムを提供する。  
これにより、デジタルカメラは回転式表示部を回転させれば撮像素子が同期して回転することから、縦長画像を撮影する場合にカメラを略水平または略垂直に持ち替えなくても横長画像撮影または縦長画像撮影を行なうことができる。
【発明の効果】
【００２２】
本発明によれば、装置を略水平な状態から略垂直に持ち替えたり、略垂直な状態から略水平な状態に持ち替えなくても横長画像／縦長画像の撮影切替えを手ブレを生じたり画像の視認性を損なうことなく確実且つ迅速に行なうことができる。また。持ち替える必要がないので構図を損ねるようなことがない。
【発明を実施するための最良の形態】
【００２３】
本発明の説明において、「横位置」とはカメラ本体を略水平に構えた場合にカメラ本体と回転式表示部の長手方向が一致する状態（図１（ａ）参照）を意味し、「縦位置」とはカメラ本体を略垂直に構えた場合にカメラ本体と回転式表示部の長手方向が略垂直な状態を意味する（図１（ｂ）参照）。
【００２４】
また、横長表示範囲とはアスペクト比をｈ：ｇとするとき、ｈ＞ｇの表示範囲（つまり、横方向の長さ＜縦方向の長さ）の表示範囲をいい、横長画像とは横長表示範囲に表示される画像を意味し、横長画像撮影モードとは横長画像を撮影する撮影モードをいう。
【００２５】
また、縦長表示範囲とはアスペクト比をｈ：ｇとするとき、ｈ＜ｇの表示範囲（つまり、横方向の長さ＜縦方向の長さ）の表示範囲をいい、縦長画像とは縦長表示範囲に表示される画像を意味い、縦長画像撮影モードとは縦長画像を撮影する撮影モードをいう。ここで、デジタルカメラの液晶モニタ画面の表示範囲のアスペクト比を、例えば、４：３とするとき、液晶モニタ画面４１の表示範囲を縮小して縦長表示範囲を設定すると、この設定された縦長表示範囲に表示する画像は上記定義により縦長画像となる。
【００２６】
また、正方形表示範囲とは画像表示範囲のアスペクト比をｈ：ｇとするとき、ｈ＝ｇの表示範囲を意味する。
【００２７】
（実施形態１）  
図１は、本実施形態に係るデジタルカメラの一実施例の背面外観図及び縦横撮影切替え方法を示す図であり、図１（ａ）は回転式表示部が横位置の場合、図１（ｂ）は回転式表示部が縦位置の場合を示す図である。
【００２８】
図１で、デジタルカメラ１００の背面にはカメラ本体１に対し回動自在に構成された回転式表示部４、カーソルキー５、図示されていないが、モードダイアル、メニューキー、ＳＥＴキー等が設けられている。また、回転式表示部４はアスペクト比４：３の液晶モニタ画面４１を有している。
【００２９】
また、上面にはシャッターキー８及び電源ボタン９や図示されていないズームキー等が設けられ、図示されていないが側部にはパーソナルコンピュータ（以下、パソコン）やモデム等の外部装置とＵＳＢケーブルに接続する場合に用いるＵＳＢ端子接続部が設けられている。
【００３０】
図２はデジタルカメラ１００の正面外観図であり、正面側に撮像レンズ２、ストロボ発光部３を配設した回転部６が示されている。本実施例では回転部６は図４に示すように本体１のほぼ中央を貫通して背面の回転式表示部４とネジ等の接合手段により同軸に接合されているが、回転部６の位置は中央に限定されない。
【００３１】
実施例では回転式表示部４は回転可能に構成されており、正方向あるいは負の方向に付勢されると回転式表示部４は図１（ａ）に示したようにカメラ本体１が横位置のとき基準として正方向又は負の方向９０°を限度として回転可能に構成され、回転式表示部４が９０°（又は−９０°）回転すると停止して図１（ｂ）に示したように縦位置を保つように構成されている。
【００３２】
また、回転が９０°未満の場合に途中で付勢を中止するとそこで停止し、その状態を保ち、図５に示すように現在のモードが横長画像撮影モードなら縦長画像撮影モード（あるいは、図６に示すように現在のモードが縦長画像撮影モードなら横長画像撮影モード）に撮影モードを切替えるように構成されている。なお、回転を中止した状態から中止前と同じ方向に回転式表示部４を付勢すると切替え後の撮影モードを保ったまま回転する。更に、回転が９０°未満で付勢を中止して停止している状態から中止前と反対の方向に付勢すると、切替え前の撮影モードに切替えられる（つまり、元の撮影モードに戻ることができる）。
【００３３】
また、実施例では回転式表示部４を手動で付勢して回転させるように構成しているが、回転式表示部４用の±回動ボタンをデジタルカメラ１００の所定の位置(右側部が望ましいが位置は限定されない。要はカメラを手ブレさせずに操作可能な位置にあればよい)に設けるようにしてもよい。このようにすると、例えば、＋（プラス）回動ボタンを押している間は回転式表示部４が正方向に回転し、回動ボタンを開放すると停止してその位置を保って撮影モードを切替え、再び＋回動ボタンを押すと同じ方向に回転し、回転角が９０°になると縦長画像が縦位置の液晶モニタ画面４１に表示される。また、途中で停止している状態で−（マイナス）回動ボタンを押すと回転式表示部４が負の方向に回転し、撮影モードが切替え前の撮影モードに戻されることとなる。
【００３４】
図３は、図１に示したデジタルカメラの電子回路構成の一実施例を示す図である。図３で、デジタルカメラ１００は、基本モードである撮影モードにおいて、ズームレンズを移動させて光学ズーム動作を行わせるズーム駆動部１１−１、フォーカスレンズを移動させ、絞り位置を移動させるＡＦ駆動部１１−２、ズームレンズ及びフォーカスレンズを含む撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、座標変換部１８−２、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、回転式表示部４、ＪＰＥＧ回路２７、保存メモリ２８、キー入力部３０、回転角検出部３１、ストロボ発光制御部３２等を備えている。
【００３５】
なお、ＡＦ駆動部１１〜カラープロセス回路１８は本発明において撮像部に相当する。また、本実施形態では座標変換部１８−２を設けたが、座標変換部１８−２を設ける代わりに座標変換部１８−２の座標変換機能をカラープロセス回路１８の機能に含めるようしてもよい。また、変換部１８−２を設けず、スルー画像生成時および画像記録処理時に制御部２２で座標変換制御を行なうようにしてもよい。
【００３６】
撮影モードでのモニタリング状態においては、ズーム駆動部１１は図示しないズームレンズ移動モータを駆動して図ズームレンズを駆動させる。また、ＡＦ駆動部１１−２は図示しないフォーカスレンズ駆動モータを駆動してフォーカスレンズを合焦点に移動させたり、絞り位置を移動させ、上記撮影レンズ２を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００３７】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、座標変換部１８−２を介してＤＭＡ（Direct Memory  Access）コントローラ１９に出力される。
【００３８】
座標変換部１８−２はカラープロセス回路１８から入力されたデータを回転角検出部３１で検出された回転式表示部４の回転角（＝回転部６の回転角）を基に画像データが設定された表示範囲内で正立するように座標変換してＤＭＡコントローラ１９に出力する。なお、座標変換部１８−２は初期状態では横長画像撮影モード処理用に設定されているものとする。
【００３９】
ＤＭＡコントローラ１９は、座標変換部１８−２を介して、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してバッファメモリとして使用されるＤＲＡＭ２１にＤＭＡ転送する。  
【００４０】
制御部２２は、このデジタルカメラ１００全体の制御動作を司るものであり、ＣＰＵ若しくはＭＰＵ（以下、ＣＰＵ）と、後述するように記録モード時の縦横撮影切替え動作制御を含む該ＣＰＵで実行される動作プログラムを固定的に記憶したフラッシュメモリ等のプログラム格納メモリ、及びワークメモリとして使用されるＲＡＭ等により構成され、上記輝度及び色差信号のＤＲＡＭ２１へのＤＭＡ転送終了後に、この輝度及び色差信号をＤＲＡＭインターフェイス２０を介してＤＲＡＭ２１から読出し、ＶＲＡＭコントローラ２３を介してＶＲＡＭ２４に書込む。
【００４１】
制御部２２は、また、キー入力部３０からの状態信号に対応してフラッシュメモリ等のプログラム格納用メモリに格納されている各モードに対応の処理プログラムやメニューデータを取り出して、デジタルカメラ１００の他の各機能の実行制御、例えば、ズーム動作の他、スルー画像表示、自動合焦、撮影、記録、及び記録した画像の再生・表示等の実行制御等や、機能選択時の機能選択メニューの表示制御や設定画面の表示制御等を行う。  
【００４２】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記回転式表示部４に出力する。
【００４３】
回転式表示部４は、上述したように撮影モード時には回転式モニタ（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ画面４１に表示することになる。
【００４４】
制御部２２は合焦指示（本実施形態ではシャッターキー８の半押し）があるとＡＦ駆動部１１に駆動制御信号を送ってレンズ光学系１２のオートフォーカスレンズを設定された撮影可能距離範囲内でのみ移動させて合焦（ＡＦ）動作を行わせ、撮像指示（本実施形態ではシャッターキー８の全押し）があると撮影を行う（つまり、その時点で直ちにＣＣＤ１３からのＤＲＡＭ２１への経路を停止してスルー画像取得時とは異なる本撮影時のＣＣＤ駆動方式への切替えを実行し）、記録保存の状態に遷移する。
【００４５】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。  
そして得た符号データをＪＰＥＧ回路２７から読出し、１画像のデータファイルとしてデジタルカメラ１００の記録媒体である保存メモリ２８に記録し、１フレーム分の輝度及び色差信号の圧縮処理及び保存メモリ２８への圧縮データの書込み終了に伴って、制御部２２はＣＣＤ１３からＤＲＡＭ２１への経路を再び起動する。
【００４６】
また、基本モードである再生モード時には、制御部２２が保存メモリ２８に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して回転式表示部４の液晶モニタ画面４１に再生画像を出力（＝表示）させる。
【００４７】
キー入力部３０は、上述したカーソルキー５、図示しないモードダイアル、ＳＥＴキー、ズームレバー、シャッターキー８、電源ボタン９等から構成され、それらのキー操作に伴う信号は制御部２２に送出される。
【００４８】
カーソルキー５はモード設定やメニュー選択等に際して液晶モニタ画面４１に表示されるメニューやアイコン等をカーソルでポイント（指定）する際に操作するキーであり、カーソルキー５の操作によりカーソルを上下又は左右に移動させることができる。モードダイアルは記録モードと再生モードを切替えるものである。また、ＳＥＴキーはカーソルキー５によってカーソル表示されている項目を選択設定若しくは確認する際に押すキーである。
【００４９】
ズームレバーは、ズーム操作に用いられ、デジタルズームの場合はズームレバーの操作に対応してズーム値が決定されるが、実際の画角は変化せず、液晶モニタ画面４１にはズーム値に応じたサイズの画像がトリミングされて表示される。また、光学ズームの場合はズームレバーの操作に対応してズームレンズ（可変焦点距離レンズ）がワイド側又はテレ側に移動され、ズームレバー７の操作に対応してズーム値が決定され、ズーム値の変化に追従して画角が実際に変化し、液晶モニタ画面には広角画像又はテレ画像が表示される。
【００５０】
シャッターキー８は、撮影時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮影処理を行うための撮影指示信号を発生する。
【００５１】
図４は回転式表示部４と同期して回転する回転部６の一実施例の断面図であり、回転部６はデジタルカメラ１００の本体１の所定の位置（本実施形態ではほぼ中央）に設けられている。回転部６は図示のように本体１を貫通した円筒形状をなし、本体１のフランジ部分にて本体内に回動可能に係留され、且つ背面の回転式表示部４とネジ等の接合手段により同軸に接合されている。これにより、正面側の撮像レンズ２は回転式表示部４の回転に同期して同方向に同じ角度で回転する。
【００５２】
また、回転部６は図２に示したように正面向きに撮像レンズ２とストロボ発光部３を配設すると共に図示のように撮像レンズ２を構成するレンズ光学系１２、絞り７、及びＣＣＤ等の撮像素子等を内蔵し、背面側の端部で回転式表示部４と接合している。また、回転部６に内蔵されているＣＣＤ等の撮像素子やストロボ発光部３は本体１側のバス（制御ＢＵＳ及びデータＢＵＳ）及び電源供給ケーブル等と、例えば、ＦＰＣ（フレキシブルプリントサーキット）のような配線ケーブルにより電気的に接続している。
【００５３】
なお、図示されていないが、回転部６の回転角を検出する回転角検出センサや回転操作が停止すると回転部６を係止して回転式表示部４の停止状態を保たせる係止手段や回転式表示部４の回転角が０°（ゼロ）、９０°または−９０°になると回転部６を係留する係留手段（例えば、ストッパー）が回転部６周辺の本体１側、若しくは回転部６に設けられている。
【００５４】
図５及び図６はデジタルカメラ１００による縦横撮影モード切替方法の説明図であり、図５（ａ）は撮影モードが横長画像撮影モードで且つカメラ本体１及び回転式表示部４が共に横位置の状態を示し、図５（ｂ）は回転式表示部４を少し回転させた状態を示し、図５（ｃ）は図５（ｂ）に示した状態からもとの横位置状態に戻した例を示す。  
また、図６（ａ）は撮影モードが縦長画像撮影モードで且つカメラ本体１及び回転式表示部４が共に横位置の状態を示し、図６（ｂ）は回転式表示部４を少し回転させた状態を示し、図６（ｃ）は図６（ｂ）に示した状態からもとの横位置状態に戻した例を示す。
【００５５】
図５で、図５（ａ）の横位置の状態（撮影モードは横長画像撮影モード）から回転式表示部４を負の方向に付勢して少し回転させると、図５（ｂ）に示すように回転式表示部４が回転し、画像は回転角分だけ表示座標変換されて横長で回転式表示部４と同じ傾きで表示されるが、図５（ｃ）に示すように逆方向に付勢してもとの位置に戻すと撮影モードが横長画像撮影モードから縦長画像撮影モードに切替えられ液晶モニタ画面４１の表示範囲を縮小した縦長の表示範囲４５が設けられ画像４８がその縦長の表示範囲４５に縦長画像として表示される。
【００５６】
図６で、図６（ａ）の横位置の状態（撮影モードは縦長画像撮影モード）から回転式表示部４を負の方向に付勢して少し回転させると、図６（ｂ）に示すように回転式表示部４が回転し、画像は回転角分だけ表示座標変換されて縦長で回転式表示部４と同じ傾きで表示されるが、図６（ｃ）に示すように逆方向に付勢してもとの位置に戻すと撮影モードが縦長画像撮影モードから横長画像撮影モードに切替えられ液晶モニタ画面４１の表示範囲を縮小した縦長の表示範囲が解除され画像４８が液晶モニタ画面４１の全表示範囲（アスペクト比４：３）に横長画像として表示される。
【００５７】
図７は記録モードにおけるデジタルカメラ１００の動作概要を示すフローチャートであり、このフローチャートはデジタルカメラ１００に本願発明の縦横撮影切替え機能を実現させるためのプログラムを説明するためのものである。  
以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図１〜図６に基いて説明する。
【００５８】
記録モードにおいて、制御部２２はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上で座標変換部１８−２、ＤＭＡコントローラ１９及びＤＲＡＭインターフェイス（Ｉ／Ｆ）２０を介してＤＲＡＭ２１にＤＭＡ転送すると共に、ＶＲＡＭ２４をＣＣＤ１３からの画像データを間引いたビデオスルー画像データで書き換えて回転式表示部４の液晶モニタ画面４１に撮影モード（初期値は横位置での横長画像撮影モード）に基づくスルー画像を設定された表示範囲に表示する（ステップＳ１）。
【００５９】
次に、制御部２２は回転式表示部４が回転操作されたか否かを判定するために回転角検出部３１からの信号の有無を調べ、回転角検出部３１から回転検出信号を受け取った場合はステップＳ３に進み、受け取っていない場合はステップＳ１１に進む（ステップＳ２）。
【００６０】
回転角検出部３１から回転式表示部４の回転角（＝回転部６の回転角）検出信号を受け取った場合は、制御部２２はその検出信号を基に回転角を取得し（ステップＳ３）、取得した回転角を基に回転式表示部４が縦位置（回転角＝９０°）になったか否かを調べ、縦位置になった場合はステップＳ５に進み、そうでない場合はステップＳ６に進む（ステップＳ４）。
【００６１】
回転式表示部４が縦位置になった場合は、ＣＣＤ１３は回転式表示部４の回転に同期して縦長画像を取り込むので、取り込まれた画像データをアスペクト比３：４の縦長の画像の画像データとしてＤＲＡＭ２１に取り込み、ステップＳ１１に進む。これにより、縦位置の液晶モニタ画面４１の表示範囲に図１（ｂ）に示したように縦画像が表示される（ステップＳ５）。
【００６２】
制御部２２は上記ステップＳ３で取得した回転角から回転式表示部４が横位置（回転角＝００°）になったか否かを調べ、横位置になった場合はステップＳ７に進み、そうでない場合はステップＳ８に進む（ステップＳ６）。
【００６３】
回転式表示部４が横位置になった場合は、ＣＣＤ１３は回転式表示部４の回転に同期して回転し、回転式表示部４の傾きと同じ角度で傾いた横長画像を取り込むので、制御部２２は、取り込まれた画像データをアスペクト比４：３の横長画像の画像データとしてＤＲＡＭ２１に取り込み、ステップＳ１１に進む。これにより、横位置の液晶モニタ画面４１の表示範囲に図１（ａ）に示したように横画像（通常表示画像）が表示される（ステップＳ７）。
【００６４】
制御部２２は上記ステップＳ３で取得した回転角と前回の回転角から回転方向が正の方向か負の方向かを調べ、正の方向の場合はステップＳ１２に進み、負の方向の場合はステップＳ９に進む（ステップＳ８）。
【００６５】
回転方向が負の方向の場合は、制御部２２は取得した回転角を座標変換部１８−２に送り（ステップＳ９）、更に、回転角検出部３１からの信号を調べ、回転式表示部４が逆方向に回転された場合はステップＳ１１に進み、そうでない場合はステップＳ１５に進む（ステップＳ１０）。
【００６６】
回転式表示部４が逆方向に回転された場合は、制御部２２はＶＲＡＭコントローラ２３及び回転式表示部４を制御して液晶モニタ画面４１の表示範囲を横方向に縮小した縦長画像の表示範囲４５（図５（ｃ）、図６（ａ）、（ｂ）参照）に設定させ、ステップＳ１５に進む（ステップＳ１１）。
【００６７】
回転方向が正の方向の場合は、制御部２２は取得した回転角を座標変換部１８−２に送り（ステップＳ１２）、更に、回転角検出部３１からの信号を調べ、回転式表示部４が逆方向に回転された場合はステップＳ１１に進み、そうでない場合はステップＳ１５に進む（ステップＳ１３）。
【００６８】
回転式表示部４が逆方向に回転された場合は、制御部２２は撮影モードを横長画像撮影モードに切り替え、ＶＲＡＭコントローラ２３及び回転式表示部４を制御して液晶モニタ画面４１の表示範囲を縮小した縦長の表示範囲４５の設定を解除させて通常の横長画像の表示範囲（図６（ｃ）参照）に戻して、ステップＳ１５に進む（ステップＳ１４）。
【００６９】
制御部２２はキー入力部３０からの信号を調べ、シャッターキー８が半押しされた場合はステップＳ１６に進み、押されていない場合はステップＳ１に戻る（ステップＳ１５）。
【００７０】
また、制御部２２は、所定のフォーカスエリアにピントが合うようにＡＦ駆動部１１−２を制御して自動合焦処理、つまり、フォーカスレンズを移動させて合焦動作を行わせると共に絞り制御を行い合焦処理が終わると合焦位置をロックしてステップＳ１７に進む。なお、図示されていないが合焦動作中もスルー画像は表示される（ステップＳ１６）。
【００７１】
制御部２２はキー入力部３０キー入力部３０からの信号を調べてシャッターキー８が全押し操作されたか否かを判定し、シャッターキー８が全押しされた場合はステップＳ１８に進む（ステップＳ１７）。
【００７２】
シャッターキー８が全押しされた場合は、その時点で直ちにＣＣＤ１３からのＤＲＡＭ２１への経路を停止してスルー画像取得時とは異なる本撮影時のＣＣＤ駆動方式への切替を実行して取込んだ画像データに画像圧縮処理を施した後、この圧縮画像データ（画像ファイル）を保存メモリ２８に記録して１フレーム分の画像の撮影を終了する（ステップＳ１８）。
【００７３】
上記図７のフローチャートに示した制御部２２の制御動作により、デジタルカメラ１００は表示部を回転させれば撮像素子が同期して回転することから縦長画像を撮影する場合にカメラを縦に持ち替える必要がなく手ブレが生じない。また、横長画像撮影と同じ構図を維持することができる。また、９０°回転させた縦方向の縦長画像撮影を行なった場合、表示範囲は縮小されないので視認性が低下しない。
【００７４】
また、縦横撮影モードは回転式表示部４を微動させるだけで横長画像撮影モードから縦長画像撮影モードへ切替え、若しくは縦長画像撮影モードから横長画像撮影モードへの切替えができるので（図５、図６）、切替え操作が簡単であり、切替えの際に手ブレが生じない。
【００７５】
(実施形態２)  
上記実施形態１では表示部及び撮像素子をデジタルカメラ本体に対し回転可能に構成して画像の縦横切替えを行なうようにしたが、液晶モニタ画面を正方形に構成することにより表示部を回転させることなく、しかも表示範囲を従来のように縮小することなく、縦横を切替えることができる。
【００７６】
図８は本実施形態に係るデジタルカメラの縦横撮影モード切替え方法を示す図であり、図８（ａ）は正方形の液晶モニタ画面に表示された横長画像の例、図８（ｂ）は正方形の液晶モニタ画面に表示された縦長画像の例である。
【００７７】
図８（ａ）で、デジタルカメラ２００の背面には正方形の液晶表示画面４２を有する表示部４０、カーソルキー５、縦横切替えボタン１０、及びモードダイアル、メニューキー、ＳＥＴキー等（図示せず）が設けられている。また、液晶モニタ画面４２には横長画像撮影指示により液晶モニタ４０の正方形の表示範囲内の最大の横長画像用の表示範囲、つまり、アスペクト比３：４の横長画像用の表示範囲４６（アスペクト比４：３）に１フレーム分の横長画像４８−１が表示されている。
【００７８】
上面にはシャッターキー８及び電源ボタン９や図示されていないズームキー等が設けられ、図示されていないが側部にはパーソナルコンピュータ（以下、パソコン）やモデム等の外部装置とＵＳＢケーブルに接続する場合に用いるＵＳＢ端子接続部が設けられている。また、図示しない正面側には撮像レンズ及びストロボ発光部３が配設されている。
【００７９】
図８（ｂ）は縦横切替えボタン１０の操作に基づく縦長画像撮影指示により図８（ａ）の被写体像を９０°正の方向に回転させた例であり、液晶モニタ４０の正方形の表示範囲内の最大の縦長画像用の表示範囲、つまり、アスペクト比３：４の縦長画像用の表示範囲４５に１フレーム分の縦長画像４８−２が表示されている。
【００８０】
図９は、図８に示したデジタルカメラの電子回路構成の一実施例を示す図である。図８で、デジタルカメラ２００は、基本モードである撮影モードにおいて、ズームレンズを移動させて光学ズーム動作を行わせるズーム駆動部１１−１、フォーカスレンズを移動させ、絞り位置を移動させるＡＦ駆動部１１−２、ズームレンズ及びフォーカスレンズを含む撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５表示部４０、ＪＰＥＧ回路２７、保存メモリ２８、キー入力部３０、ストロボ発光制御部３２、拡大／縮小部３３等を備えている。
【００８１】
また、以下の説明において、上記デジタルカメラ２００の電子回路構成のうち、記録モード時の制御部２２の縦横撮影切替え動作制御（図１０のフローチャート参照）とキー入力部３０、拡大／縮小部３３、及び表示部４０の構成及び機能を除く各構成要素の構成及び機能は（符号が同位置の構成要素毎に）実施形態１のデジタルカメラの構成要素の構成及び機能と同一とする。まず、制御部２２の縦横撮影切替え動作制御と、拡大／縮小部３３、及び表示部４０の構成及び機能について説明する。
【００８２】
制御部２２は、このデジタルカメラ２００全体の制御動作を司るものであり、ＣＰＵ若しくはＭＰＵ（以下、ＣＰＵ）と、後述する記録モード時の縦横撮影切替え動作制御（図１０、図１１のフローチャート参照）を含む該ＣＰＵで実行される動作プログラムを固定的に記憶したフラッシュメモリ等のプログラム格納メモリ、及びワークメモリとして使用されるＲＡＭ等により構成されている（以下、制御部２２の機能は実施形態１の図２の説明参照）。
【００８３】
キー入力部３０は、上述したカーソルキー５、図示しないモードダイアル、ＳＥＴキー、ズームレバー、シャッターキー８、電源ボタン９、及び縦横切替えボタン１０等から構成され、それらのキー操作に伴う信号は制御部２２に送出される。
【００８４】
カーソルキー５〜電源ボタン９の動作等は前述（図２の説明参照）したとおりである。縦横切替えボタン１０は撮影モードを横長画像撮影モードから縦長画像撮影モード若しくは縦長画像撮影モードから横長画像撮影モードに切替えるためのスイッチであり、図８に示した例では縦横切替えボタン１０を押すオンとなって点灯し、もう一度縦横切替えボタン１０を押すオフとなって消燈するオン／オフキー（オン→横長画像撮影モードから縦長画像撮影モードに切替え、オフ→縦長画像撮影モードから横長画像撮影モードに切替え）として構成したが、これに限定されない。
【００８５】
拡大／縮小部３２は、再生画像を回転式表示部４の正方形状のモニタ画面４２の表示範囲のうち設定された縦長画像用の表示範囲４５または横長画像用の表示範囲を除く余白部分に表示可能に縮小する。なお、  拡大／縮小部３２をプログラムモジュールで構成するようにしてもよい。
【００８６】
表示部４０は、撮影モード時にはモニタ（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ画面４２に設定された縦長画像用の表示範囲４６または横長画像用の表示範囲４５に表示する。
【００８７】
液晶モニタ画面４２は、正方形（アスペクト比４：４）に配列された表示素子と、表示素子裏面に同様に配列された発光素子と、バックライトからなり、横長画像撮影モード時には液晶モニタ画面４２の全表示範囲のうち横長画像表示用の最大サイズのアスペクト比４：３の表示範囲が用いられ、スルー画像が図８（ａ）に示したようなアスペクト比４：３の横長画像として表示される。なお、図示の例では横長画像４８−１の両側の表示範囲は余白部分としたが、後述するように前回の撮影画像や撮影情報を表示するようにしてもよい。
【００８８】
また、縦長画像撮影モード時には液晶モニタ画面４２の全表示範囲のうち縦長画像表示用の最大サイズのアスペクト比３：４の表示範囲が用いられ、スルー画像が図８（ｂ）に示したようなアスペクト比３：４の縦長画像４８−１として表示される。なお、図示の例では縦長画像４８−２の上下の表示範囲は余白部分としたが、後述するように前回の撮影画像や撮影情報を表示するようにしてもよい。
【００８９】
図１０は記録モードにおけるデジタルカメラ２００の動作概要を示すフローチャートであり、このフローチャートはデジタルカメラ２００に本願発明のズーム機能を実現させるためのプログラムを説明するためのものである。  
以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図８及び図９に基いて説明する。
【００９０】
記録モードにおいて、制御部２２はキー入力部３０からの信号を調べ、縦横切替えボタン１０がオンか否かを調べ、縦横切替えボタン１０がオンの場合にはステップＴ２に進み、オフの場合はステップＴ３に進む（ステップＴ１）。
【００９１】
縦横切替えボタン１０がオンの場合には、制御部２２は取り込まれた画像データをＤＲＡＭ２１の画像データ記憶領域に記憶し、ＶＲＡＭコントローラ２３及び表示部４０を制御して液晶モニタ画面４１の表示範囲に設けられたアスペクト比３：４の表示範囲４５（図８（ｂ））を設定させ、ステップＴ４に進む（ステップＴ２）。
【００９２】
縦横切替えボタン１０がオフの場合には、制御部２２は取り込まれた画像データをＤＲＡＭ２１の画像データ記憶領域に記憶し、ＶＲＡＭコントローラ２３及び表示部４０を制御して液晶モニタ画面４１の表示範囲に設けられたアスペクト比４：３の横長画像表示用の表示範囲４６（図８（ａ）参照）を設定させ、ステップＴ４に進む（ステップＴ３）。
【００９３】
制御部２２はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上でＤＭＡコントローラ１９及びＤＲＡＭインターフェイス（Ｉ／Ｆ）２０を介してＤＲＡＭ２１にＤＭＡ転送すると共に、ＶＲＡＭ２４をＣＣＤ１３からの画像データを間引いたビデオスルー画像データで書き換えて表示部４０の液晶モニタ画面４１の表示範囲のうち、上記ステップＴ３またはＴ４で設定された表示範囲４５または表示範囲４６に表示する（ステップＴ４）。
【００９４】
制御部２２はキー入力部３０からの信号を調べ、シャッターキー８が半押しされた場合はステップＴ６に進み、押されていない場合はステップＴ４に戻る（ステップＴ５）。
【００９５】
制御部２２は、所定のフォーカスエリアにピントが合うようにＡＦ駆動部１１−２を制御して自動合焦処理、つまり、フォーカスレンズを移動させて合焦動作を行わせると共に絞り制御を行い合焦処理が終わると合焦位置をロックしてステップＴ７に進む。なお、図示されていないが合焦動作中もスルー画像は表示される（ステップＴ６）。
【００９６】
制御部２２はキー入力部３０キー入力部３０からの信号を調べてシャッターキー８が全押し操作されたか否かを判定し、シャッターキー８が全押しされた場合はステップＴ８に進む（ステップＴ７）。
【００９７】
シャッターキー８が全押しされた場合は、その時点で直ちにＣＣＤ１３からのＤＲＡＭ２１への経路を停止してスルー画像取得時とは異なる本撮影時のＣＣＤ駆動方式への切替えを実行して取込んだ画像データに画像圧縮処理を施した後、この圧縮画像データ（画像ファイル）を保存メモリ２８に記録して１フレーム分の画像の撮影を終了する（ステップＴ８）。
【００９８】
上記図１０のフローチャートに示した制御部２２の制御動作により、デジタルカメラ２００は正方形状の液晶モニタ画面４２を横長画像用または縦長画像用に用いることができることから、表示部を回転させたりカメラを略垂直に持ち替えたりしなくても縦長画像を撮影できるので手ブレが生じないし、横長画像撮影と同じ構図を維持することができる。また、また、表示範囲を縮小することなく表示することができるので、視認性が低下しない。
【００９９】
＜変形例１＞  
上記図８〜図１０の説明では正方形状の液晶モニタ画面４２を横長画像用または縦長画像用に用いる際に余白が生じたが、余白部分に図１１に示すように前回の撮影画像を再生表示するようにしてもよい。
【０１００】
図１１は正方形状の液晶モニタ画面４２における表示例を示す図であり、図８（ａ）は正方形の液晶モニタ画面４２に表示された横長表示されたスルー画像４８−１及び余白部分に表示された前回の撮影画像４８−２の例を示す。また、図８（ｂ）は正方形の液晶モニタ画面４２に表示された縦長表示されたスルー画像４８−１及び余白部分に表示された前回の撮影画像４８−２の例を示す。
【０１０１】
図１２は液晶モニタ画面４２の余白部分に前回の撮影画像を再生表示する場合の制御部２２の動作例を示すフローチャートであり、図１０に示したフローチャートのステップＴ２、Ｔ３を図示のようにステップＴ２−１〜Ｔ２−５、ステップＴ３−１〜Ｔ３−５に変更し、ステップＴ４以降の各ステップは図１０のフローチャートと同様とする。
【０１０２】
記録モードにおいて、制御部２２はキー入力部３０からの信号を調べ、縦横切替えボタン１０がオンか否かを調べ、縦横切替えボタン１０がオンの場合にはステップＴ２−１に進み、オフの場合はステップＴ３−１に進む（ステップＴ１）。
【０１０３】
縦横切替えボタン１０がオンの場合には、制御部２２は取り込まれた画像データをＤＲＡＭ２１の画像データ記憶領域に記憶し、ＶＲＡＭコントローラ２３及び表示部４０を制御して液晶モニタ画面４１の表示範囲に設けられたアスペクト比３：４の表示範囲４５（図８（ｂ））を設定させ、ステップＴ２−２に進む（ステップＴ２−１）。
【０１０４】
制御部２２は、保存メモリ２８に前回の撮影画像が記録されているか否かを調べ、記録されている場合はステップＴ２−３に進み、記録されていない場合はステップＴ４に進む（ステップＴ２−２）。
【０１０５】
制御部２２は、保存メモリ２８から前回の撮影画像を読み出してＪＰＥＧ回路２７を制御して画像データの圧縮と逆の手順で読み出した画像データを伸張して再生し（ステップＴ２−３）、更に、拡大／縮小部３３を制御して再生した画像データを上記ステップＴ２−１で表示範囲４５を設定した液晶モニタ画面４２の余白部分に表示可能なサイズに縮小させ（ステップＴ２−４）、図１１（ｂ）に示すようにその余白部分に縮小後の画像４９−２を表示させ、ステップＳ４に進む（ステップＴ２−５）。
【０１０６】
また、縦横切替えボタン１０がオフの場合には、制御部２２は取り込まれた画像データをＤＲＡＭ２１の画像データ記憶領域に記憶し、ＶＲＡＭコントローラ２３及び表示部４０を制御して液晶モニタ画面４１の表示範囲に設けられたアスペクト比４：３の横長画像表示用の表示範囲４６（図８（ａ）参照）を設定させ、ステップＴ３−２に進む（ステップＴ３−１）。
【０１０７】
制御部２２は、保存メモリ２８に前回の撮影画像が記録されているか否かを調べ、記録されている場合はステップＴ３−３に進み、記録されていない場合はステップＴ４に進む（ステップＴ３−２）。
【０１０８】
制御部２２は、保存メモリ２８から前回の撮影画像を読み出してＪＰＥＧ回路２７を制御して画像データの圧縮と逆の手順で読み出した画像データを伸張して再生し（ステップＴ３−３）、更に、拡大／縮小部３３を制御して再生した画像データを上記ステップＴ３−１で表示範囲４６を設定した液晶モニタ画面４２の余白部分に表示可能なサイズに縮小させ（ステップＴ３−４）、図１１（ａ）に示すようにその余白部分に縮小後の画像４９−１を表示させ、ステップＳ４に進む（ステップＴ３−５）。
【０１０９】
上記変形例１により、デジタルカメラ２００は前回の撮影画像と今回の撮影時のスルー画像を同一画面上に並列的に表示できるので、撮影者は構図の比較が簡単にできる。なお、余白部分に所定の情報（例えば、撮影条件や、所属グループ等）を表示するようにしてもよい。
【０１１０】
＜変形例２＞    
図１３は正方形状の液晶モニタ画面４２における表示例を示す図である。上記変形例１で前回の画像をスルー画像を表示する表示範囲以外の余白に表示してもさらに余白が生じるので、そのような余白部分に今回の撮影情報、例えば、図１３に示すように、日付、撮影モード、撮影枚数／撮影可能枚数、絞り値、シャッタースピード、ズーム倍率等を表示するようにしてもよい。
【０１１１】
この場合は、上記図１２のフローチャートのステップＴ２−５を、「制御部２２は、その余白部分に縮小後の画像４９−１を表示させ、ステップＴ４に進む」と変更すると共に、ステップＴ３−５を、「制御部２２は、その余白部分に縮小後の画像４９−２を表示させ、ステップＴ４に進む」と変更し、更に、ステップＴ２−５の後に、「制御部２２はデジタルカメラ２００の撮影情報、例えば、日付、撮影モード、撮影枚数／撮影可能枚数、絞り値、シャッタースピード、ズーム倍率等を取得し、縮小後の画像４９−２を表示したあとの余白部分に表示する」ステップＴ２−６を設けると共に、ステップＴ３−５の後に、「制御部２２はデジタルカメラ２００の撮影情報、例えば、日付、撮影モード、撮影枚数／撮影可能枚数、絞り値、シャッタースピード、ズーム倍率等を取得し、縮小後の画像４９−１を表示したあとの余白部分に表示する」ステップＴ３−６を設けるようにする。
【０１１２】
上記変形例２により、デジタルカメラ２００は前回の撮影画像と今回の撮影時のスルー画像および今回の撮影情報を同一画面上に並列的に表示できるので、撮影者は構図の比較が簡単にできると共に、撮影情報が余白部分に表示されるので画像と重畳することがなく、見易い。
【０１１３】
上記実施形態２において、撮像装置という用語はデジタルカメラ等の電子カメラのほか、カメラ付き携帯電話機やカメラ及び表示装置付き携帯端末機器にてきようできるものである。
【０１１４】
また、上記各実施形態では静止画像を撮影する場合を例としたが本発明は静止画像撮影だけでなく動画撮影にも適用できるものである。
【０１１５】
以上、本発明のいくつかの実施例について説明したが本発明は上記各実施例に限定されるものではなく、種々の変形実施が可能であることはいうまでもない。
【図面の簡単な説明】
【０１１６】
【図１】実施形態１に係るデジタルカメラの一実施例の背面外観図及び撮影切替え方法を示す図である。
【図２】図１のデジタルカメラの正面外観図である。
【図３】図１及び図２に示したデジタルカメラの電子回路構成の一実施例を示す図である。
【図４】回転式表示部と同期して回転する回転部の一実施例の断面図である。
【図５】デジタルカメラよる縦横撮影モード切替方法の説明図である。
【図６】デジタルカメラによる縦横撮影モード切替方法の説明図である。
【図７】記録モードにおけるデジタルカメラの動作概要を示すフローチャートである。
【図８】実施形態２に係るデジタルカメラの縦横撮影切替え方法を示す図である。
【図９】実施形態２に係るデジタルカメラの電子回路構成の一実施例を示す図である。
【図１０】記録モードにおけるデジタルカメラの動作概要を示すフローチャートである。
【図１１】正方形状の液晶モニタ画面における表示例を示す図である。
【図１２】液晶モニタ画面の余白部分に前回の撮影画像を再生表示する場合の制御部の動作例を示すフローチャートである。
【図１３】正方形状の液晶モニタ画面における表示例を示す図である。
【図１４】従来の縦画像撮影方法の説明図である。
【図１５】従来の縦画像撮影方法の説明図である。
【０１１７】
４  回転式表示部
６  回転部（回転機構）
１０  縦横切替えボタン（撮影切替え手段）
１２  レンズ光学系
１３  ＣＣＤ（撮像素子）
２２  制御部（撮像制御手段、撮影切替え手段）
２３  ＶＲＡＭコントローラ（表示範囲設定手段）
３１  回転角検出部（回転角検出手段）
３３  拡大／縮小部（縮小手段）
４０  表示部
４２  正方形状の液晶モニタ画面
１００、２００  デジタルカメラ
【図１】
2006203732.tif 000003
【図２】
2006203732.tif 000004
【図３】
2006203732.tif 000005
【図４】
2006203732.tif 000006
【図５】
2006203732.tif 000007
【図６】
2006203732.tif 000008
【図７】
2006203732.tif 000009
【図８】
2006203732.tif 000010
【図９】
2006203732.tif 000011
【図１０】
2006203732.tif 000012
【図１１】
2006203732.tif 000013
【図１２】
2006203732.tif 000014
【図１３】
2006203732.tif 000015
【図１４】
2006203732.tif 000016
【図１５】
2006203732.tif 000017